(57)【要約】【課題】  本考案は、斬新なデザインにより演出効果を高める装飾具を提供することを課題とする。【解決手段】  本考案の装飾具１は、幅が狭く厚みの薄い帯状のリボン２（２ａ，２ｂ，２ｃ，２ｄ，２ｅ・・・）を螺旋状に形づけたものを複数束ねて形成されていることを特徴とする。さらに本考案の装飾具１は、螺旋状に形状記憶された複数のリボン２を束ね、その中心から四方に広がるようにリボン２（２ａ，２ｂ，２ｃ，２ｄ，２ｅ）を配されている。【選択図】  図１
0003106314.tif 000002
【実用新案登録請求の範囲】
【請求項１】
螺旋状に形状記憶された帯状部材と、
前記帯状部材を中央で束ねる結束部とを備えることを特徴とする装飾具。
【請求項２】
前記帯状部材は、前記結束部を中心として四方に散らされて配されることを特徴とする請求項１に記載の装飾具。
【請求項３】
前記帯状部材は複数束ねられ、それぞれ螺旋の周長さが異なることを特徴とする請求項１又は２に記載の装飾具。
【請求項４】
前記帯状部材は、少なくともその表面に光沢を有することを特徴とする請求項１〜３の何れかに記載の装飾具。
【考案の詳細な説明】
【技術分野】
【０００１】
本考案は、被装飾体に取り付ける装飾具に関する。
【背景技術】
【０００２】
従来から実用化されている装飾品は数多くある。装飾品として、例えば、店舗，壁，クリスマスツリー等に飾るものがある。この中でも、特にクリスマスツリーに取り付けるための装飾品は、我が国においても実用性が高くなりつつある。
【０００３】
この装飾樹木のクリスマスツリーの枝部や葉部には、吊し糸や細いワイヤー等の小物装飾体が取り付けられたり、クリスマスツリー全体に各種色の装飾ＬＥＤを張り巡らせたりすることによりクリスマスツリーが装飾されてきた。
【考案の開示】
【考案が解決しようとする課題】
【０００４】
ところで、クリスマスツリーに取り付けられる小物装飾体は、靴下，長靴，ローソク，煙突付きハウス，クリスマスプレゼント，サンタクロース人形，トナカイ等がある。これらは、クリスマスツリーに取り付けられる主流の小物装飾体となっており、製造メーカーや製造する人によっては多少のデザインの違いはあるものの格別なインパクトや演出効果はそれほど期待出来るものではなかった。
【０００５】
そこで、本考案は、斬新なデザインにより演出効果を高める装飾具を提供することを課題とする。
【課題を解決するための手段】
【０００６】
本考案は、上記事項に鑑みてなされたものであり、すなわち本考案は、螺旋状に形状記憶された帯状部材と、帯状部材を中央で束ねる結束部とを備えることを特徴とする装飾具である。
【０００７】
この帯状部材は複数束ねられ、その中央を結束部により留めることにより本考案の装飾具が形成される。帯状部材として、リボン，軟質ワイヤー，テープ等を適用することができる。
【０００８】
また、結束部は、モールやソフトワイヤー等を好適に用いることができる。これらの部材を用いることにより、結束部は、帯状部材を留めるだけでなく、クリスマスツリーや壁等の被装飾体に直接取り付ける機能も併せ持つことになる。また、結束部に糸や紐等を取り付けて被装飾体にとりつけてもよい。
【０００９】
また、本考案に係る帯状部材は、結束部を中心として四方に散らされて配されることを特徴とする。
【００１０】
このように、複数枚重ねられた帯状部材同士を結束部を中心としてそれぞれずらして配することにより、帯状部材が全体的に広がりをもつようになる。これにより、より華やかな演出を行うことができる。
【００１１】
さらに、本考案に係る帯状部材は、複数束ねられ、それぞれ螺旋の周長さが異なる構成としてもよい。
【００１２】
螺旋の周長さが異なるということは、螺旋を形成するために帯状部材を巻き付ける軸である部材の径の大きさを変えて螺旋を形成するということである。これにより、様々な周長さの螺旋を形成することができ、これらの帯状部材を束ねることにより、ランダムなデザインの装飾具を作成することができる。
【００１３】
その他に、螺旋を形成するために帯状部材を巻き付ける軸の形状を変えて、帯状部材の螺旋を形成してもよい。例えば、軸の形状を円にしたり、三角形にしたり、多角形にしたりすることが挙げられる。そして、異なる形状の軸を用いて螺旋が形成された帯状部材同士を組み合わせて本考案の装飾具を作成すると演出にさらなる斬新性と面白みを与えることができる。
また、本考案に係る帯状部材は、少なくともその表面に光沢面を有する構成とすることにより、演出効果を向上させることができる。
【考案の効果】
【００１４】
本考案によれば、斬新なデザインにより演出効果を高める装飾具を提供することが可能となる。
【考案を実施するための最良の形態】
【００１５】
以下、本実施形態の装飾具について図を参照し説明する。
図１に、本実施形態の装飾具１の全体図を示す。本実施形態の装飾具１は、幅が狭く厚みの薄い帯状のリボン（帯状部材）２（２ａ，２ｂ，２ｃ，２ｄ，２ｅ・・・）を螺旋状に形づけたものを複数束ねて形成されています。
【００１６】
本実施形態のリボン２は、ポリエステルを主成分としたものと、内部にナイロンのワイヤーにポリエステルの糸を巻いたものがある。尚、前者のリボンは、表面が光沢面をなしたリボンと、表面が非光沢（マット）面をなしたリボンとの二本のリボンを背面同士重ね合わせて溶着して形成されている。
【００１７】
これらのリボン２を、図２に示す熱処理装置３を用いて螺旋状に形状記憶させる。熱処理装置３は、リボン２を熱処理装置３内に取り入れるリボン取り入れ口４と、リボン２を巻き付ける鋼材５と、図示しないが鋼材５を熱する発熱部と、リボン２を巻き付けた鋼材５を受ける受け皿６とを有している。
【００１８】
以下、本実施形態の装飾具１の製造工程について説明する。まず、リボン２をリボン取り入れ口４から挿入する。すると、挿入したリボン２が熱された鋼材５に巻き付けられる。ここでの鋼材５の温度はリボンの種類によって異なる。ポリエステルを主成分としたリボンの場合は、鋼材５の温度は１００度〜１２０度とし、ナイロンのワイヤーにポリエステルの糸を巻いたリボンの場合は、鋼材５の温度は８０度〜１００度とすると好ましい。
【００１９】
鋼材５は、図２に示すように、リボン２を巻き付ける方向（図２中矢印Ｒ方向）に移動すると共に鋼材５の長手方向の軸を中心として回動している（図２中Ｓ方向）。鋼材５のこれらの動きによりリボン２が鋼材５の外側面に巻き取られていく。
【００２０】
また、熱処理装置３内にはタイマー（不図示）機能が設けられており、リボン２を鋼材５に巻き付けてから所定時間が経過すると鋼材５は受け皿６内へ収容される。ここでの所定時間はリボンの種類により決められており、ポリエステルを主成分としたリボンの場合は５〜１０秒とし、ナイロンのワイヤーにポリエステルの糸を巻いたリボンの場合は、４〜８秒とする。
【００２１】
そして、受け皿６内の鋼材５に巻き付いたリボン２を剥がすことにより、リボン２への
螺旋形状の記憶が完了する。
【００２２】
このような工程を経ることにより、図３に示すような螺旋状のリボン２が形成される。尚、ここでは、径の大きさの異なる鋼材５を用いていろいろな大きさの螺旋状リボンを形成する。
【００２３】
そして、図４に示すように、螺旋状に形状記憶された複数のリボン２を束ねてその中央を結束部７にて留める。このとき、結束部７を中心として四方に広がるようにリボン２（２ａ，２ｂ，２ｃ，２ｄ，２ｅ）を配しておくとよい。
【００２４】
また、結束部７にはモールを用い、束ねた部分を数回巻き回して巻き終わりの位置を撚っておく。
【００２５】
これによって、図１に示すように、撚った結束部（モール）の端部を台紙Ａに設けた孔（不図示）に挿通させることにより台紙Ａに装飾具１を取り付けることができる。装飾具１を商品として陳列する場合は、この台紙Ａ毎フックなどに引っかけて陳列する。
【００２６】
また、図５に、本実施形態の装飾具１をクリスマスツリーＢに飾った状態を示す。この場合、図４に示す結束部７の両端部を撚って輪を作り、その輪にクリスマスツリーの葉部や枝部を挿入してもいいし、輪に糸を通して葉部や枝部に吊り下げるようにして取り付けてもよい。
【００２７】
以上のように、本実施形態の装飾具１は、結束部７にリボン２を留める役割とクリスマスツリー等の被装飾体に取り付けるための役割を持たせることが出来る。加えて、結束部７がモールのようなソフトワイヤーにて形成されていることにより、被装飾体の種類に左右されることなく結束部７の形状を変化させて取付を行うことができる。
【００２８】
さらに、複数枚重ねられたリボン２が、結束部７を中心として四方に散らされて配されていることにより、リボン２が全体的に広がりを持ち、より華やかな演出を行う装飾具とすることができる。
【００２９】
さらに、本実施形態では、径の大きさが異なる鋼材５を用いて複数種類の螺旋状リボンが作られる。そしてこれらのリボンを複数束ねて装飾具１を形成するため、デザインが一様にならず、バリエーションが豊かで面白みのある装飾具となる。
【００３０】
また、本実施形態の装飾具１は、様々なデザイン，材質，サイズのリボンを用いて本実施形態の装飾具１を作成することにより、クリスマスツリーだけでなく、髪飾りやボタン等にとりつけて装飾品として適用することもできる。
【００３１】
尚、本考案の装飾具は、上述の図示例にのみ限定されるものではなく、本考案の要旨を逸脱しない範囲内において種々変更を加え得ることは勿論である。
【図面の簡単な説明】
【００３２】
【図１】本実施形態の装飾具の斜視図である。
【図２】本実施形態の装飾具の製造工程のイメージ図である。
【図３】本実施形態に係るリボンを示す図である。
【図４】本実施形態に係るリボンの結束状態を示す図である。
【図５】本実施形態の装飾具をクリスマスツリーに飾った状態の図である。
【符号の説明】
【００３３】
１  装飾具
２（２ａ，２ｂ，２ｃ，２ｄ，２ｅ）  リボン（帯状部材）
３  熱処理装置
４  リボン取り入れ口
５  鋼材
６  受け皿
７  結束部
Ａ  台紙
Ｂ  クリスマスツリー
【図１】
0003106314.tif 000003
【図２】
0003106314.tif 000004
【図３】
0003106314.tif 000005
【図４】
0003106314.tif 000006
【図５】
0003106314.tif 000007